(57)【要約】【課題】片麻痺患者が座れば骨盤が麻痺側下がりに傾いた姿勢、また仰向けに寝れば骨盤・体幹が麻痺側下がりに傾いた姿勢となってしまう場合が多い。このような姿勢で行う動作や作業は、困難性を有するものとなる。また痛みや関節拘縮などの二次障害を起こすことが多い。本発明は、介助者の手を介さずに麻痺側下がりに傾いた姿勢を良い姿勢に修正することができ、かつ修正した良い姿勢が維持できるという衣服を提供する。【解決手段】衣服の麻痺側の素材を厚くする。これにより他人の手を介することなく片麻痺患者の麻痺側下がりに傾いた姿勢を修正する。さらに別の場所に移動したり、身体を動かしても、修正した良い姿勢を常時維持できる。これによって、動作や作業の困難性の軽減、痛みの軽減、関節拘縮の予防などができる。【選択図】図１
2006070415.tif 000002
【特許請求の範囲】
【請求項１】
座った時あるいは仰向けに寝た時に、臀部の左右の一側が高くなり反対側が低くなるように左右の素材の厚さが異なるパンツ。
【請求項２】
左右の素材の厚さの差を調節することができる手段を設けた請求項１のパンツ。
【請求項３】
仰向けに寝た時に、上半身の左右の一側が高くなり反対側が低くなるように左右の素材の厚さが異なるシャツ。
【請求項４】
左右の素材の厚さの差を調節することができる手段を設けた請求項３のシャツ。
【発明の詳細な説明】
【技術分野】
【０００１】本発明は、片麻痺患者の姿勢を考慮した衣服に関するものである。
【背景技術】
【０００２】現在、障害者の姿勢について注目され始めているが、障害者の姿勢を考慮した衣服は存在しない。
【発明の開示】
【発明が解決しようとする課題】
【０００３】片麻痺患者の身体は、麻痺側の支持性、麻痺側の筋の弾性力低下、麻痺側の廃用による筋萎縮という状態にある。このような状態で片麻痺患者が座れば骨盤が麻痺側下がりに傾いた姿勢、また仰向けに寝れば骨盤・体幹が麻痺側下がりに傾いた姿勢となってしまうことが多い。【０００４】この麻痺側下がりに傾いた姿勢を保持するために、片麻痺患者は健側上下肢を使う。そのため片麻痺患者の健側上下肢はいつも力んだ状態となり、自由性を失う。このような状態で行う動作や作業は、片麻痺患者にとって困難性を有するものとなる。また麻痺側下がりに傾いた姿勢を保持しているということによって、痛みや関節拘縮などの二次障害を起こすことが多い。【０００５】そのため現状では、介助者がベッド面（あるいは座面）と麻痺側身体の間にクッションやタオルなどを挿入することによって、麻痺側下がりに傾いた姿勢を修正し、片麻痺患者が良い姿勢を保持できるようにすることが多い。しかし別の場所に移動してしまえば、挿入したクッションやタオルを再度挿入し直さなければならない。またタオルやクッションを挿入することによって姿勢を修正しても、同一姿勢を長時間保持していることは困難で、片麻痺患者は身体を動かす。そのため挿入したクッションやタオルははずれてしまい、麻痺側下がりに傾いた姿勢に戻ってしまうことが多い。【０００６】また、片麻痺患者の麻痺の程度は重度から軽度まで個人によって異なる。そのため麻痺側下がりに傾いた姿勢の程度も個人によって異なるものである。【０００７】本発明が解決しようとする課題は、介助者の手を介さずに麻痺側下がりに傾いた姿勢を良い姿勢に修正することができ、かつ別の場所に移動しても身体を動かしても良い姿勢が維持できるという衣服を提供する点にある。また麻痺側下がりに傾いた姿勢を修正する程度を個人に合わせて調節できるという衣服を提供する点にある。
【課題を解決するための手段】
【０００８】片麻痺患者が座れば骨盤が麻痺側下がりに傾いた姿勢に、仰向けに寝れば骨盤・体幹が麻痺側下がりに傾いた姿勢になってしまうことが多い。またベッド面（あるいは座面）と麻痺側身体の間にクッションやタオルなどを挿入することによって麻痺側下がりに傾いた姿勢を修正しても、別の場所に移動してしまえば挿入したクッションやタオルを再度挿入し直さなければならない。また同一姿勢を長時間保持していることは困難で、身体を動かすことにより、挿入したクッションやタオルははずれてしまい、麻痺側下がりに傾いた姿勢に戻ってしまうことが多い。【０００９】本発明の発明者は、衣服の麻痺側の素材を厚くすることにより、他人の手を介することなく片麻痺患者の麻痺側下がりに傾いた姿勢を良い姿勢に修正することができ、かつ別の場所に移動しても身体を動かしても、修正した良い姿勢を維持できると考えた。【００１０】本発明に係わる衣服は、片麻痺患者が日常生活で使用する衣服である。【００１１】請求項１に係わる衣服は、図１に示すように左右一方の素材の厚さを変えたパンツである。麻痺側が厚くなるように使用する。片麻痺患者がこのパンツをはいて、座ったり仰向けに寝たりすれば、骨盤は麻痺側が上がり、人の手を介することなく麻痺側下がりに傾いた姿勢を修正することができる。別の場所に移動しても良い姿勢を維持することができる。また片麻痺患者が身体を動かしてもクッションやタオルを挿入した時のようにはずれてしまうことがなく、修正した良い姿勢を維持することができる。【００１２】請求項２に係わる衣服は、片麻痺患者の麻痺の程度、すなわち骨盤が麻痺側下がりに傾く程度に合わせ、麻痺側の素材の厚さを調節できるようにしたパンツである。【００１３】パンツの麻痺側部分は、麻痺の程度が重度で骨盤が麻痺側下がりに傾く程度が大きいほど素材を厚くする。逆に麻痺の程度が軽度で骨盤が麻痺側下がりに傾く程度が小さいほど厚みを少なくする。このようにして個人にもっとも適した厚さを選択する。【００１４】請求項３に係わる衣服は、図２に示すように左右一方の素材の厚さを変えたシャツである。麻痺側が厚くなるように使用する。片麻痺患者がこのシャツを着て、仰向けに寝れば、体幹は麻痺側が上がり、人の手を介することなく麻痺側下がりに傾いた姿勢を修正することができる。別の場所に移動しても良い姿勢を維持することができる。また片麻痺患者が身体を動かしてもクッションやタオルを挿入した時のようにはずれてしまうことがなく、修正した良い姿勢を維持することができる。【００１５】請求項４に係わる衣服は、片麻痺患者の麻痺の程度、すなわち体幹が麻痺側下がりに傾く程度に合わせ、麻痺側の素材の厚さを調節できるようにしたシャツである。【００１６】シャツの麻痺側部分は、麻痺の程度が重度で体幹が麻痺側下がりに傾く程度が大きいほど素材を厚くする。逆に麻痺の程度が軽度で体幹が麻痺側下がりに傾く程度が小さいほど厚みを少なくする。このようにして個人にもっとも適した厚さを選択する。
【発明の効果】
【００１７】本発明の請求項１・２・３・４のパンツ・シャツを、姿勢が麻痺側下がりに傾いてしまう片麻痺患者が日常生活の中で使用すれば、座っている時や仰向けに寝ている時の麻痺側下がりに傾いた姿勢を人の手を介することなく修正することができる。またクッションやタオルなどを挿入するのとは異なり、別の場所に移動しても身体を動かしても同一姿勢を維持することができる。その結果、崩れた姿勢を保持するために力んでいた健側上下肢が自由性を獲得し、動作や作業の困難性が軽減する。また、崩れた姿勢を保持しているということによって起こる痛みや関節拘縮などの二次障害が予防できる。
【実施例１】
【００１８】実施例１を図３・図４に基づいて説明する。図３・図４に示すように五分丈の伸縮性のあるパンツ１と厚さのある素材２で構成されている。パンツ１の左右一方に素材２をつける。座った時あるいは仰向けに寝た時に、ベッド面（あるいは座面）と接触する部分につける。右側麻痺の場合は右側に素材２を取り付けたパンツ、左側麻痺の場合は左側に素材２を取り付けたパンツを使用し、座った時や仰向けに寝た時に麻痺側が高くなるように使用する。
【実施例２】
【００１９】実施例２を図５・図６に基づいて説明する。図５・図６に示すように五分丈の伸縮性のあるパンツ１と厚さのある素材２で構成されている。パンツ１の左右一方に素材２をつける。座った時あるいは仰向けに寝た時に、ベッド面（あるいは座面）と接触する部分につける。パンツ１と素材２をマジックテープ３にて着脱可能にして、厚さの異なる素材２を何種類か用意する。そして素材２を交換できるようにする。このようにして、座った時あるいは仰向けに寝た時の骨盤の麻痺側下がりに傾く程度に合わせ、厚さの調節をする。実施例１同様に使用する。
【実施例３】
【００２０】実施例３を図７・図８に基づいて説明する。図７・図８に示すように五分丈の伸縮性のあるパンツ１と素材２で構成されている。パンツ１の座った時あるいは仰向けに寝た時にベッド面（あるいは座面）と接触する部分の左右一方を、いくつかに区分けしてポケット４を設ける。ポケット４はファスナー５にて開閉可能とする。素材２は各々のポケット４に入るサイズにして、いくつか用意する。そしてポケットに素材２を重ねて詰め込んでいくことにより厚く、ポケット４から素材２を抜き取っていくことにより薄くというようにして、座った時あるいは仰向けに寝た時の骨盤の麻痺側下がりに傾く程度に合わせ厚さを調節する。実施例１同様に使用する。
【実施例４】
【００２１】実施例４を図９・図１０に基づいて説明する。図９・図１０に示すように五分丈の伸縮性のあるシャツ６と厚さのある素材７で構成されている。シャツ６の左右一方に素材７をつける。仰向けに寝た時にベッド面と接触する部分につける。右側麻痺の場合は右側に素材７を取り付けたシャツ、左側麻痺の場合は左側に素材７を取り付けたシャツを使用し、仰向けに寝た時に麻痺側が高くなるように使用する。
【実施例５】
【００２２】実施例５を図１１・図１２に基づいて説明する。図１１・図１２に示すように五分丈の伸縮性のあるシャツ６と厚さのある素材７で構成されている。シャツ６の左右一方に素材７をつける。仰向けに寝た時にベッド面と接触する部分につける。シャツ６と素材７をマジックテープ８にて着脱可能にして、厚さの異なる素材７を何種類か用意する。そして素材７を交換できるようにする。このようにして、仰向けに寝た時の体幹の麻痺側下がりに傾く程度に合わせ、厚さの調節をする。実施例４同様に使用する。
【実施例６】
【００２３】実施例６を図１３・図１４に基づいて説明する。図１３・図１４に示すように五分丈の伸縮性のあるシャツ６と素材７で構成されている。シャツ６の仰向けに寝た時にベッド面と接触する部分の左右一方を、いくつかに区分けしてポケットを設ける。ポケット９はファスナー１０にて開閉可能とする。素材７は各々のポケット９に入るサイズにして、いくつか用意する。そしてポケット９に素材７を重ねて詰め込んでいくことにより厚く、ポケット９から素材７を抜き取っていくことにより薄くというようにして、仰向けに寝た時の体幹が麻痺側下がりに傾く程度に合わせ厚さを調節する。実施例４同様に使用する。
【図面の簡単な説明】
【００２４】
【図１】片麻痺患者が左右一方の素材の厚さを変えたパンツをはいて座ったところを、後方から描いた図である。
【図２】片麻痺患者が左右一方の素材の厚さを変えたシャツを着て仰向けに寝たところを、頭部側から描いた図である。
【図３】実施例１を示す背面図である。
【図４】実施例１を示す断面図ＡＢである。
【図５】実施例２を示す背面図である。
【図６】実施例２を示す断面図ＣＤである。
【図７】実施例３を示す背面図である。
【図８】実施例３を示す断面図ＥＦである。
【図９】実施例４を示す背面図である。
【図１０】実施例４を示す断面図ＧＨである。
【図１１】実施例５を示す背面図である。
【図１２】実施例５を示す断面図ＩＪである。
【図１３】実施例６を示す背面図である。
【図１４】実施例６を示す断面図ＫＬである。
【符号の説明】
【００２４】１  パンツ
２  厚さのある素材
３  マジックテープ
４  ポケット
５  ファスナー
６  シャツ
７  厚さのある素材
８  マジックテープ
９  ポケット
１０  ファスナー
【図１】
2006070415.tif 000003
【図２】
2006070415.tif 000004
【図３】
2006070415.tif 000005
【図４】
2006070415.tif 000006
【図５】
2006070415.tif 000007
【図６】
2006070415.tif 000008
【図７】
2006070415.tif 000009
【図８】
2006070415.tif 000010
【図９】
2006070415.tif 000011
【図１０】
2006070415.tif 000012
【図１１】
2006070415.tif 000013
【図１２】
2006070415.tif 000014
【図１３】
2006070415.tif 000015
【図１４】
2006070415.tif 000016